(57)【要約】  ワイヤレス通信システムにおけるノードＢ測定に基づくアドミッション制御の方法および装置を開示する。発呼要求を受信した後、潜在的割当てのために利用可能なコードのうちからコードを選択する。ノードＢ測定値を用いて、選択されたコードの各タイムスロットへの追加的割当てを想定して、それぞれの利用可能タイムスロットに対する目標セル負荷および近隣セル負荷を計算する。タイムスロットに対する重み付きシステム負荷を計算する。重み付きシステム負荷が最小のタイムスロットを、当該コードの割当てのために選択する。
2007511180.tif 000002
【特許請求の範囲】
【請求項１】
少なくとも１つのノードＢおよび少なくとも１つのワイヤレス送受信ユニット（ＷＴＲＵ）を含むワイヤレス通信システムにおける、ノードＢでコールアドミッション制御プロセスを実施する方法において、
（ａ）発呼要求を受信し、
（ｂ）コードセットから特定のコードを選択し、
（ｃ）複数の利用可能なタイムスロットから特定のタイムスロットを選択し、
（ｄ）ノードＢ測定を使用し、かつ前記選択されたタイムスロットへの前記選択されたコードの追加を想定して、前記選択されたタイムスロットに対する目標セル負荷および近隣セル負荷を計算し、
（ｅ）前記選択されたタイムスロットに対する重み付きシステム負荷を計算し、
（ｆ）他のすべての利用可能なタイムスロットについてステップ（ｃ）〜（ｅ）を繰り返し、
（ｇ）重み付きシステム負荷が最小であるタイムスロットをコードの割当てのために選択し、
（ｈ）前記コードセットから前記コードを削除する
ことを特徴とするコールアドミッション制御プロセスを実施する方法。
【請求項２】
前記目標セル負荷および前記近隣セル負荷がそれぞれ所定閾値よりも小さい場合に限り、前記重み付きシステム負荷が計算されることを特徴とする請求項１に記載の方法。
【請求項３】
前記コードは、最小の拡散率を有するコードから開始して選択されることを特徴とする請求項１に記載の方法。
【請求項４】
前記目標セル負荷が、前記目標セルの予測干渉信号コードパワー（ＩＳＣＰ）を用いて計算されることを特徴とする請求項１に記載の方法。
【請求項５】
前記目標セルでの前記予測ＩＳＣＰが、前記目標セルの雑音上昇関数を用いて計算されることを特徴とする請求項４に記載の方法。
【請求項６】
前記目標セルの雑音上昇関数が、報告されたパス損失測定値を用いて計算されることを特徴とする請求項５に記載の方法。
【請求項７】
前記目標セルの雑音上昇関数が、セル全体で測定されるパス損失の分布から決定されるパス損失値パラメータを用いて計算されることを特徴とする請求項５に記載の方法。
【請求項８】
前記パス損失値パラメータが、前記分布の５０番目パーセンタイルパス損失と設定されることを特徴とする請求項７に記載の方法。
【請求項９】
前記近隣セル負荷が、前記近隣セルによって測定されるＩＳＣＰを用いて計算されることを特徴とする請求項１に記載の方法。
【請求項１０】
前記近隣セル負荷が、前記目標セルの雑音上昇関数を用いて推定されることを特徴とする請求項１に記載の方法。
【請求項１１】
少なくとも１つのノードＢおよび少なくとも１つのワイヤレス送受信ユニット（ＷＴＲＵ）を含むワイヤレス通信システムにおける、ノードＢでコールアドミッション制御プロセスを実施する方法において、
（ａ）発呼要求を受信し、
（ｂ）コードセットから特定のコードを選択し、
（ｃ）複数の利用可能なタイムスロットから特定のタイムスロットを選択し、
（ｄ）ノードＢ測定を使用し、かつ前記選択されたタイムスロットへの前記選択されたコードの追加を想定して、前記選択されたタイムスロットに対する予測目標セル送信パワーおよび予測近隣セル送信パワーを計算し、
（ｅ）前記タイムスロットに対する重み付き干渉を計算し、
（ｆ）他のすべての利用可能なタイムスロットについてステップ（ｃ）〜（ｅ）を繰り返し、
（ｇ）重み付き干渉が最小のタイムスロットをコードの割当てのために選択し、
（ｈ）前記コードセットから前記コードを削除する
ことを特徴とするコールアドミッション制御プロセスを実施する方法。
【請求項１２】
前記予測目標セル送信パワーおよび前記予測近隣セル送信パワーがそれぞれ所定閾値よりも小さい場合に限り、前記重み付き干渉が計算されることを特徴とする請求項１１に記載の方法。
【請求項１３】
前記コードは、最小の拡散率を有するコードから開始して選択されることを特徴とする請求項１１に記載の方法。
【請求項１４】
前記予測目標セル送信パワーが、前記目標セルの予測干渉信号コードパワー（ＩＳＣＰ）を用いて計算されることを特徴とする請求項１１に記載の方法。
【請求項１５】
前記目標セルでの前記予測ＩＳＣＰが、前記目標セルの雑音上昇関数を用いて計算されることを特徴とする請求項１４に記載の方法。
【請求項１６】
前記目標セルの雑音上昇関数が、報告されたパス損失測定値を用いて計算されることを特徴とする請求項１５に記載の方法。
【請求項１７】
前記目標セルの雑音上昇関数が、セル全体で測定されるパス損失の分布から決定されるパス損失値パラメータを用いて計算されることを特徴とする請求項１５に記載の方法。
【請求項１８】
前記パス損失値パラメータが、前記分布の５０番目パーセンタイルパス損失と設定されることを特徴とする請求項１７に記載の方法。
【請求項１９】
前記予測近隣セル送信パワーが、前記近隣セルによって測定される送信パワーを用いて計算されることを特徴とする請求項１１に記載の方法。
【請求項２０】
前記予測近隣セル送信パワーが、前記目標セルの雑音上昇関数を用いて推定されることを特徴とする請求項１１に記載の方法。
【請求項２１】
ワイヤレス通信システムにおけるノードＢの共通の測定に基づくアドミッション制御装置において、前記ワイヤレス通信システムのカバレージエリア（サービスエリア）が複数のセルに分割され、各セルは少なくとも１つのノードＢによってサービスされ、前記装置が、
発呼要求を受信するように構成された受信機と、
利用可能なコードのうちからある一つのコードを選択するように構成されたコードセレクタと、
ノードＢ測定を使用し、かつ前記選択されたコードの追加を想定して、それぞれの利用可能なタイムスロットに対する目標セル負荷および近隣セル負荷を計算するように構成された第１計算ユニットと、
前記利用可能なタイムスロットのそれぞれに対する重み付きシステム負荷を計算する第２計算ユニットと、
前記発呼要求に割り当てるために重み付きシステム負荷が最小であるタイムスロットを選択するコントローラと
を備えたことを特徴とするアドミッション制御装置。
【請求項２２】
それぞれの利用可能なタイムスロットの前記目標セル負荷および前記近隣セル負荷をそれぞれ所定閾値と比較するコンパレータをさらに備え、それにより、前記重み付き干渉が前記閾値を満たす利用可能なタイムスロットに対して計算されることを特徴とする請求項２１に記載の装置。
【請求項２３】
前記コードは、最小の拡散率を有するコードから開始して選択されることを特徴とする請求項２１に記載の装置。
【請求項２４】
前記目標セル負荷が、前記目標セルの予測干渉信号コードパワー（ＩＳＣＰ）を用いて計算されることを特徴とする請求項２１に記載の装置。
【請求項２５】
前記目標セルでの前記予測ＩＳＣＰが、前記目標セルの雑音上昇関数を用いて計算されることを特徴とする請求項２４に記載の装置。
【請求項２６】
前記目標セルの雑音上昇関数が、報告されたパス損失測定値を用いて計算されることを特徴とする請求項２５に記載の装置。
【請求項２７】
前記目標セルの雑音上昇関数が、セル全体で測定されるパス損失の分布から決定されるパス損失値パラメータを用いて計算されることを特徴とする請求項２５に記載の装置。
【請求項２８】
前記パス損失値パラメータが、前記分布の５０番目パーセンタイルパス損失と設定されることを特徴とする請求項２７に記載の装置。
【請求項２９】
前記近隣セル負荷が、前記近隣セルによって測定されるＩＳＣＰを用いて計算されることを特徴とする請求項２１に記載の装置。
【請求項３０】
前記近隣セル負荷が、前記目標セルの雑音上昇関数を用いて推定されることを特徴とする請求項２１に記載の装置。
【請求項３１】
ワイヤレス通信システムにおけるノードＢの共通の測定に基づくアドミッション制御装置において、前記ワイヤレス通信システムのカバレージエリアが複数のセルに分割され、各セルは少なくとも１つのノードＢによってサービスされ、前記装置が、
発呼要求を受信するように構成された受信機と、
利用可能なコードのうちからある１つのコードを選択するように構成されたコードセレクタと、
ノードＢ測定を使用し、かつ前記選択されたコードの追加を想定して、それぞれの利用可能なタイムスロットに対する目標セル送信パワーおよび近隣セル送信パワーを計算する第１計算ユニットと、
前記選択されたタイムスロットのそれぞれに対する重み付きシステム干渉を計算する第２計算ユニットと、
前記発呼要求に割り当てるために前記タイムスロットのうちから重み付き干渉が最小のタイムスロットを選択するコントローラと
を備えたことを特徴とするアドミッション制御装置。
【請求項３２】
それぞれの利用可能なタイムスロットの前記目標セル送信パワーおよび前記近隣セル送信パワーをそれぞれ所定閾値と比較するコンパレータをさらに備え、それにより、前記重み付き干渉が前記閾値を満たす利用可能なタイムスロットに対して計算されることを特徴とする請求項３１に記載の装置。
【請求項３３】
前記コードは、最小の拡散率を有するコードから開始して選択されることを特徴とする請求項３１に記載の装置。
【請求項３４】
前記予測目標セル送信パワーが、前記目標セルの予測干渉信号コードパワー（ＩＳＣＰ）を用いて計算されることを特徴とする請求項３１に記載の装置。
【請求項３５】
前記目標セルでの前記予測ＩＳＣＰが、前記目標セルの雑音上昇関数を用いて計算されることを特徴とする請求項３４に記載の装置。
【請求項３６】
前記目標セルの雑音上昇関数が、報告されたパス損失測定値を用いて計算されることを特徴とする請求項３５に記載の装置。
【請求項３７】
前記目標セルの雑音上昇関数が、セル全体で測定されるパス損失の分布から決定されるパス損失値パラメータを用いて計算されることを特徴とする請求項３６に記載の装置。
【請求項３８】
前記パス損失値パラメータが、前記分布の５０番目パーセンタイルパス損失と設定されることを特徴とする請求項３７に記載の装置。
【請求項３９】
前記予測近隣セル送信パワーが、前記近隣セルによって測定される送信パワーを用いて計算されることを特徴とする請求項３１に記載の装置。
【請求項４０】
前記予測近隣セル送信パワーが、前記目標セルの雑音上昇関数を用いて推定されることを特徴とする請求項３１に記載の装置。
【発明の詳細な説明】
【技術分野】
【０００１】
本発明は、ワイヤレス通信システムに関する。より詳細には、本発明は、ワイヤレス通信システムで実行される共通の測定（common measurement）に基づくアドミッション制御の方法および装置に関する。
【背景技術】
【０００２】
ワイヤレス通信システムにおいて、ワイヤレス送受信ユニット（ＷＴＲＵ）は、そのＷＴＲＵまたはコアネットワークからの要求に応じて確立される１つまたは複数の無線チャネルを通じて無線アクセスネットワーク（ＲＡＮ）と通信する。無線ネットワークコントローラ（ＲＮＣ）内のコールアドミッション制御（ＣＡＣ）プロセスが、無線リソースに対する発呼要求（呼び出し要求、発呼）を受信したことに応じて呼び出され、その要求を処理する。ＣＡＣプロセスは、コール（呼）をシステムで受け付けるべきかどうかを判断する。コールを受け付ける場合、ＣＡＣプロセスは、無線リソースの最も効率的な割当てを決定する。
【０００３】
このような決定を行うためには、ＣＡＣプロセスは、要求を受信した時のシステムの状態を知っていなければならない。一般に、パワー(出力、電力）および干渉（混信）の測定を用いて、システムの現在の状態が評価される。測定は、ノードＢまたはＷＴＲＵによって行われ得る。ノードＢで行われる測定としては、アップリンク（ＵＬ）干渉、ダウンリンク（ＤＬ）搬送波パワーレベル、および／またはＤＬコード送信パワーの測定が挙げられる。ＷＴＲＵで行われる測定としては、ＵＬ全送信パワーレベル、ＵＬコード送信パワーレベル、ＤＬ干渉、および／またはパス損失の測定が挙げられる。
【発明の開示】
【発明が解決しようとする課題】
【０００４】
多くの場合、ＷＴＲＵによって得られる測定値はＲＮＣでは利用可能でない。このため、ＣＡＣプロセスは、アドミッション制御およびリソース割当てのために、ノードＢで行われる測定のみに依拠しなければならない。したがって、ノードＢで行われる測定のみに基づいてアドミッション制御およびリソース割当てを実施する方法および装置が必要とされている。
【課題を解決するための手段】
【０００５】
ワイヤレス通信システムにおけるノードＢ測定に基づいてコールアドミッション制御を実施する方法および装置を開示する。本装置は、集積回路（ＩＣ）、ノードＢまたはワイヤレス通信システムであり得る。ワイヤレス通信システムのカバレージエリア（サービスエリア）が複数のセルに分割され、各セルがノードＢによってサービスされる。発呼要求を受信するとすぐに、潜在的割当てのために利用可能なコードのうちから１つのコードを選択する。ノードＢの測定値を用いて、選択されたコードの各タイムスロット（時間帯、時間割）への追加的割当てを想定して、それぞれの利用可能タイムスロットに対する目標セル負荷および近隣セル負荷を計算する。タイムスロットに対する重み付きシステム負荷を計算する。重み付きシステム負荷が最小のタイムスロットを、当該コードの割当てのために選択する。
【０００６】
本発明のより詳細な理解は、好ましい実施形態についての以下の説明から得られるであろう。以下の説明は例示であり、添付図面を参照して理解されるべきである。
【発明を実施するための最良の形態】
【０００７】
以下簡単のため、ＵＭＴＳ（universal mobile telephone system：ユニバーサル・モバイル・テレコミュニケーション・システム）に関連して本発明を説明する。しかし、本発明は、時分割多元接続（ＴＤＭＡ）−コード分割多元接続（ＣＤＭＡ）を複合した任意のタイプのワイヤレス通信システムでも実施可能であることに留意されたい。
【０００８】
本発明の構成は、集積回路（ＩＣ）に組み込んでもよく、あるいは、多数の相互接続した素子を備えた回路として構成してもよい。
【０００９】
以下、本明細書において「ＷＴＲＵ」という用語は、ワイヤレス環境内で動作可能なユーザ機器、移動局、固定または移動加入者ユニット、ページャ（ポケットベル）、またはその他の任意のタイプの装置を包含するが、これらに限定されない。また、以下本明細書において、「ノードＢ」という用語は、基地局、サイトコントローラ、アクセスポイント、またはその他の任意のタイプのワイヤレス環境内のインタフェース装置を包含するが、これらに限定されない。
【００１０】
本発明のＣＡＣプロセスは、ノードＢによって行われる共通の測定（すなわち、特定の無線リンクのみを対象とするのではない測定）を利用する。測定は、ＵＬ測定またはＤＬ測定のいずれでもよい。任意選択で、ＣＡＣプロセスは、ＷＴＲＵによって報告されるパス損失情報を利用してもよい。パス損失情報が利用可能な場合、ＣＡＣプロセスはそれを利用する。パス損失情報が利用可能でない場合、パス損失パラメータを入力として用いる。これについては以下で説明する。
【００１１】
コールアドミッション決定を行い、要求されたコールに物理無線リソース（資源）を割り当てるために、本発明のＵＬ測定に基づくＣＡＣプロセスは、目標セルおよび近隣セルの負荷メトリックを使用する。
【００１２】
目標セルの負荷計算に関して、好ましくは、セルｉのタイムスロットｔにおける１つまたは複数のコードの追加の結果として生じる予測干渉レベルＩＳＣＰＰＲＥＤ（ｉ，ｔ）が、目標セルの雑音上昇関数ＲＴを用いて次のように予測される。
【００１３】
【数１】
2007511180.tif 000003
【００１４】
ここでＩＳＣＰ（ｉ，ｔ）はノードＢによって測定されたＵＬタイムスロット干渉信号コードパワー（ＩＳＣＰ：interference signal code power）測定値、Ａ（ｉ）は目標セルへのパス損失、ＳＩＲは追加コードのチップレベルＳＩＲ目標値の総和である。雑音上昇関数ＲＴは、好ましくは、次式で与えられる。
【００１５】
【数２】
2007511180.tif 000004
【００１６】
ここでθは熱雑音レベル、Ｌはパス損失、ｑはセルの負荷、ＧＣはリンク利得である。
【００１７】
本発明のＣＡＣプロセスは、ノードＢで行われる測定のみを用いて動作可能であり、ＷＴＲＵから報告されるパス損失測定値を使用する必要はない。しかし、ハンドオーバ（引継ぎ）の期間等に、ＷＴＲＵによって報告されるパス損失測定値が利用可能な場合、そのパス損失測定値を雑音上昇関数ＲＴへの入力として用いる。そうでない場合、パス損失測定値の代わりにパス損失値パラメータを使用する。パス損失値パラメータは、運用・管理・保守（ＯＡ＆Ｍ）によりセル全体で測定されるパス損失の分布から決定するとよい。例えば、与えられたセル配備に対する５０番目パーセンタイル（百分位数）パス損失を使用することができる。
【００１８】
セルｉの特定のタイムスロットｔにおける推定負荷は、好ましくは、次のように計算される。
【００１９】
【数３】
2007511180.tif 000005
【００２０】
ここで、ＮＯは受信機雑音レベルを表す。推定負荷Ｌ（ｉ，ｔ）は、このタイムスロットにおける要求リソースユニットのアドミッションを評価するために用いられる。
【００２１】
近隣セルの負荷計算に関して、近隣セルｊでのタイムスロットｔの負荷は、すべてのｊ≠ｉに対して、次のように計算される
【００２２】
【数４】
2007511180.tif 000006
【００２３】
番号ｊのノードＢの現在のＩＳＣＰ測定値が目標セルに利用可能であり、負荷計算のための入力として用いられる。結果として得られる負荷Ｌ（ｊ，ｔ）は、このタイムスロットにおける要求リソースユニットのアドミッションを評価するために用いられる。
【００２４】
代替実施形態では、近隣セルｊでのタイムスロットｔの負荷は、近隣セルｊでの雑音上昇を用いて計算してもよい。この実施形態では、コードが近隣セルに割り当てられることを想定した場合の近隣セルでの干渉の増大を推定するために、次のように、目標セルの雑音上昇関数を用いて近隣セルの雑音上昇関数を推定することができる。
【００２５】
【数５】
2007511180.tif 000007
【００２６】
ここで、ＲＴは式２で与えた通りであり、ＧＣは較正パラメータであり、Ａ（ｉ）は目標セルへのパス損失を表し、ＳＩＲは追加コードのチップレベルＳＩＲ目標値の総和である。目標セルの雑音上昇関数からの、近隣セルの雑音上昇関数の導出については、図３を参照してさらに詳細に説明する。この実施形態では、式４は次式で置き換えられる。
【００２７】
【数６】
2007511180.tif 000008
【００２８】
セルｉのタイムスロットｔにおける１つまたは複数のコードの割当ては、考慮対象のすべての近隣セルｊに対して、次の条件が満たされる場合に限り受容される。
【００２９】
【数７】
2007511180.tif 000009
【００３０】
および
【００３１】
【数８】
2007511180.tif 000010
【００３２】
Ｌ（ｉ，ｔ）およびＬ（ｊ，ｔ）はそれぞれ式３および式４（あるいは代替実施形態では式６）に記載のように計算される。ＬＴＭＡＸおよびＬＮＭＡＸは、目標セルおよび近隣セルに対する負荷閾値を表す。
【００３３】
なお、タイムスロットへのコードの割当ては、ＷＴＲＵ能力要件を満たさなければならない。満たさない場合、そのコードセットの割当ては拒否される。例えば、ＵＭＴＳ標準は、ＷＴＲＵについて、複数の異なるクラスを規定している。各クラスは、異なる能力セットによって規定される。ＷＴＲＵの能力要件の１つに、単一タイムスロットにおいてＷＴＲＵがサポートするコード数と、ＷＴＲＵが同時サポート可能な異なるタイムスロットの数がある。低いクラスのＷＴＲＵほど、タイムスロット当たりサポートするコードは少なく、高いクラスのＷＴＲＵほど、タイムスロット当たりサポートするコードは多い。ノードＢは、ＷＴＲＵのクラスを知っており、したがって、タイムスロット当たりサポートされるコード数およびサポートされるタイムスロット数に関するＷＴＲＵの能力について知っている。よって、与えられたタイムスロットにおいて特定のＷＴＲＵにコードを実際に割り当てる前に、そのＷＴＲＵが、そのタイムスロットにおいて割り当てられるコードの数を処理できることを確認すべきである。
【００３４】
図１は、本発明によりＵＬ測定に基づいてＣＡＣ（コールアドミッション制御）を実施する方法ステップを含むプロセス１００の流れ図である。ワイヤレス通信システムがＷＴＲＵに対する発呼要求を受信した時、利用可能なコードセットのリストからコードを選択する（ステップ１０２）。選択されるコードは、好ましくは、コードセット内で拡散率（ＳＦ）が最小のコードである。また、利用可能なタイムスロットのうちから、潜在的割当てのために最初のタイムスロットを選択する（ステップ１０４）。利用可能なタイムスロットのセットは、要求されたサービスタイプ（例えば、リアルタイム（ＲＴ）または非リアルタイム（ＮＲＴ））、および方向（すなわちＵＬまたはＤＬ）に対して利用可能なすべてのタイムスロットからなる。利用可能なタイムスロットのセットはＯＡ＆Ｍ（運用・管理・保守）を通じて設定される。
【００３５】
プロセスは、選択されたコードが、式３および式４（あるいは代替実施形態では式６）に従って、選択されたタイムスロットに追加されると想定して、選択されたタイムスロットに対する目標セル負荷および近隣セル負荷を計算する（ステップ１０６）。式３において、負荷計算は、コードセットのうち、選択されたタイムスロットに既に割り当てられているすべてのコードを考慮する。
【００３６】
次に、プロセス１００は、推定目標セル負荷および近隣セル負荷がそれぞれ所定閾値よりも小さいかどうかを判断することによって、ＣＡＣを検証する（ステップ１０８）。推定目標セル負荷または推定近隣セル負荷のいずれかが閾値よりも小さくない場合、コードを割当てのためにタイムスロットに追加せずに、プロセスはステップ１１４に進む。推定目標セル負荷および推定近隣セル負荷が両方とも閾値よりも小さい場合には、選択したコードをタイムスロットに追加する。この時点で、タイムスロットは、選択したコードの潜在的割当てのための候補タイムスロットとなり、候補タイムスロットのリストに追加される（ステップ１１０）。コードをタイムスロットに追加した後、ステップ１１２で、タイムスロットに対する重み付きシステム負荷を次のように計算する。
【００３７】
【数９】
2007511180.tif 000011
【００３８】
ここで、Ｊ１およびＪ２はそれぞれ、全システム負荷に含まれるべきティア（tier:段）１およびティア２の近隣セルのセットを定める。α１およびα２は、ティア１およびティア２のセル負荷にかかる重み係数を表す。分母１＋ηＮ（ｔ）は断片化調整因子（fragmentation adjustment factor）であり、ηは断片化調整パラメータに対応し、Ｎ（ｔ）はタイムスロットに既に割り当てられているコードの個数に対応する。重み付きシステム負荷を計算した後、プロセス１００はステップ１１４に進む。
【００３９】
ステップ１１４で、利用可能なタイムスロットがまだ他にあると判断した場合には、利用可能タイムスロットのリストから次のタイムスロットを選択し（ステップ１１６）、プロセス１００はステップ１０６に戻る。重み付きシステム負荷を計算するために利用可能なタイムスロットがない場合には、プロセス１００は候補タイムスロットがあるかどうかを判断する（ステップ１１８）。候補タイムスロットがない場合には、プロセス１００は、リソースの割当ての失敗を表示し、要求されたコードセットを拒否する（ステップ１３０）。候補タイムスロットがある場合には、重み付きシステム負荷ＬＳＹＳＴＥＭ（ｔ）が最小となるタイムスロットを選択することにより、選択された候補タイムスロットにおいて、選択されたコードの割当てを行う（ステップ１２０）。割り当てられたコードを、利用可能コードセットのリストから削除し（ステップ１２２）、候補タイムスロットのリストをリセットする（ステップ１２４）。ステップ１２６で、コードセット内に利用可能なコードがまだ他にあると判断した場合には、プロセス１００はステップ１０２に戻る。そうでない場合には、プロセス１００はステップ１２８に進み、リソースの割当ての成功を表示し、発呼要求に対するリソース割当て解を返す（ステップ１２８）。
【００４０】
本発明のＤＬ測定に基づくＣＡＣプロセスは、アドミッション決定を行い、要求されたコールに物理リソースを割り当てるために、目標セルおよび近隣セルの送信搬送波パワーを用いる。ＤＬ  ＩＳＣＰは、近隣セルの搬送波パワーを用いて予測される。セルｉに位置するＷＴＲＵのタイムスロットｔにおけるＤＬ  ＩＳＣＰであるＩＤＬ（ｉ，ｔ）は、次式により表すことができる。
【００４１】
【数１０】
2007511180.tif 000012
【００４２】
ここで、ＮＯは受信機雑音レベル、Ａ（ｊ）はＷＴＲＵとセルｊの間のパス損失、ＰＴ（ｊ，ｔ）はタイムスロットｔにおけるセルｊの全ＤＬ送信パワーを表す。すべての量は均等目盛（linear scale）を用いて表される。Ｊ１およびＪ２はそれぞれ、干渉予測に含まれるべきティア１およびティア２の近隣セルのセットを定める。近隣セルの搬送波送信パワーに関する情報は目標セルにとって利用可能である。しかし、ＷＴＲＵから近隣セルへのパス損失に関する情報は目標セルにとって利用可能でない。したがって、ＤＬ  ＩＳＣＰは次のように評価される。
【００４３】
【数１１】
2007511180.tif 000013
【００４４】
ここで、Ｘ１はＷＴＲＵと近隣ティア１セルのノードＢとの間のリンク利得（すなわちパス損失の逆数）に対応する確率変数であり、Ｘ２はＷＴＲＵと近隣ティア２セルのノードＢとの間のリンク利得に対応する確率変数(random variable)であり、μ１およびμ２は目標セル内に位置するＷＴＲＵとティア１セルおよびティア２セルにサービスするノードＢとの間の平均リンク利得を表す。平均リンク利得は、ＯＡ＆Ｍを通じて設定されるセル配備固有のパラメータ(cell deploymentspecific parameter)である。
【００４５】
期待干渉レベル（expected interference level）を計算した後、セルｉのタイムスロットｔにおける１つまたは複数のコードの追加の結果として生じる干渉を、式２に記載の目標セルの雑音上昇関数を用いて次のように予測する。
【００４６】
【数１２】
2007511180.tif 000014
【００４７】
ここで、Ａ（ｉ）は目標セルへのパス損失、ＳＩＲは追加コードのチップレベルＳＩＲ目標値の総和を表す。
【００４８】
ハンドオーバの期間等に、ＷＴＲＵパス損失測定値が目標セルに利用可能な場合、そのＷＴＲＵパス損失測定値を目標セル雑音上昇関数を計算するための入力として用いる。そうでない場合には、ＯＡ＆Ｍを通じて設定されるパス損失値パラメータを使用する。パス損失値パラメータは、目標セル全体で測定されるパス損失の分布から決定するとよい。
【００４９】
セルｉのタイムスロットｔにおける１つまたは複数のコードの追加の結果として生じる搬送波パワーは次のように予測される。
【００５０】
【数１３】
2007511180.tif 000015
【００５１】
ここで、Ａ（ｉ）およびＳＩＲはそれぞれ、目標セルへのパス損失および追加コードのチップレベルＳＩＲ目標値の総和を表す。コードの追加の結果として生じる干渉の増大は、既存のコードにも適合する。これは、現在の送信パワーに雑音上昇を乗じることによって得られる。結果として得られる予測搬送波送信パワーＰＴＰＲＥＤ（ｉ，ｔ）はワット単位で表される。
【００５２】
代替実施形態では、近隣セルでの搬送波パワーを次式により予測することができる。
【００５３】
【数１４】
2007511180.tif 000016
【００５４】
ここでＲＮは式５に従って計算される。
【００５５】
セルｉのタイムスロットｔにおけるコードセットの割当ては、考慮対象のすべての近隣セルｊに対して、次の条件が満たされる場合に限り受容される。
【００５６】
【数１５】
2007511180.tif 000017
【００５７】
および
【００５８】
【数１６】
2007511180.tif 000018
【００５９】
ＰＴＰＲＥＤ（ｉ，ｔ）は式１３に記載のように計算される。ＭＴおよびＭＮはそれぞれ、目標セルおよび近隣セルに対するＣＡＣパワーマージンを表す。ＰＴＭＡＸは、ｄＢ単位で表した最大のノードＢタイムスロット搬送波パワーに対応し、ＯＡ＆Ｍを通じて設定される。
【００６０】
搬送波パワーが式１４に従って近隣セルにおいて予測される場合、式１６は次式で置き換えられる。
【００６１】
【数１７】
2007511180.tif 000019
【００６２】
さらに、コードセットの割当てはＷＴＲＵの能力要件（capability requirement）を満たさなければならない。満たさない場合には、コードセットの割当ては拒否される。
【００６３】
図２は、本発明によりＤＬ測定に基づいてＣＡＣを実施する方法ステップを含むプロセス２００の流れ図である。ワイヤレス通信システムがＷＴＲＵに対する発呼要求を受信した時、利用可能なコードセットのリストからコードを選択する（ステップ２０２）。現在の第３世代パートナーシッププロジェクト（３ＧＰＰ）の下では、ＳＦ１６コードのみがＤＬのために使用される。しかし、他のＳＦコードもＤＬのために使用可能である。そこで、コードセット内で拡散率（ＳＦ）が最小のコードから開始して、コードを選択することができる。また、利用可能なタイムスロットのうちから、潜在的割当てのために最初のタイムスロットを選択する（ステップ２０４）。利用可能なタイムスロットのセットは、要求されたサービスタイプ（例えばＲＴまたはＮＲＴ）、および方向（すなわちＵＬまたはＤＬ）に対して利用可能なすべてのタイムスロットからなる。利用可能なタイムスロットのセットはＯＡ＆Ｍを通じて設定される。
【００６４】
プロセス２００は、選択されたコードが、式１２および式１３（あるいは代替実施形態では式１４）に従って、選択されたタイムスロットに追加されると想定して、選択されたタイムスロットに対して、目標セルの予測干渉レベルおよび搬送波送信パワーならびに近隣セルの予測干渉レベルおよび搬送波送信パワー（搬送波送信出力）を計算する（ステップ２０６）。式１２および式１３において、計算は、コードセットのうち、選択されたタイムスロットに既に割り当てられているすべてのコードを考慮する。
【００６５】
次に、プロセス２００は、推定目標セル搬送波送信パワーおよび近隣セル搬送波送信パワーがそれぞれ所定閾値よりも小さいかどうかを判断することによって、アドミッション制御を検証する（ステップ２０８）。推定目標セル搬送波送信パワーおよび推定近隣セル搬送波送信パワーが両方とも閾値よりも小さい場合には、選択したコードをタイムスロットに追加する。この時点で、タイムスロットは、選択したコードの潜在的割当てのための候補タイムスロットとなり、候補タイムスロットのリストに追加される（ステップ２１０）。推定目標セル搬送波送信パワーまたは推定近隣セル搬送波送信パワーのいずれかが閾値よりも小さくない場合には、コードを割当てのためにタイムスロットに追加せずに、プロセスはステップ２１４に進む。
【００６６】
コードをタイムスロットに追加した後、ステップ２１２で、タイムスロットに対する重み付き干渉レベルを次のように計算する。
【００６７】
【数１８】
2007511180.tif 000020
【００６８】
分母１＋γＮ（ｔ）は断片化調整因子であり、λは断片化調整パラメータに対応し、Ｎ（ｔ）はこのタイムスロットに既に割り当てられているコードの個数に対応する。
【００６９】
ステップ２１４で、利用可能なタイムスロットがまだ他にあると判断した場合には、利用可能タイムスロットのリストから次のタイムスロットを選択し（ステップ２１６）、ステップ２０２〜２１４を繰り返す。重み付き干渉レベルを計算するために利用可能なタイムスロットがない場合には、プロセス２００は候補タイムスロットがあるかどうかを判断する（ステップ２１８）。候補タイムスロットがない場合には、プロセス２００は、リソースの割当ての失敗を表示し、要求されたコードセットを拒否する（ステップ２３０）。候補タイムスロットがある場合には、重み付き干渉レベルＩＤＬＷ（ｉ，ｔ）が最小であるタイムスロットを選択することにより、選択された候補タイムスロットにおいて、選択されたコードの割当てを行う（ステップ２２０）。割り当てられたコードを、利用可能コードセットのリストから削除し（ステップ２２２）、候補タイムスロットのリストをリセットする（ステップ２２４）。コードセット内にコードがまだ他にある場合、プロセスは、各コードの評価のためにステップ２０２に戻り、そうでない場合、プロセスはステップ２２８に進む（ステップ２２６）。ステップ２２８で、プロセス２００は、リソースの割当ての成功を表示し、発呼要求に対するリソース割当て解を返す。
【００７０】
図３を参照して、目標セルの雑音上昇関数からの、近隣セルの雑音上昇関数の導出についてさらに詳細に説明する。図３は、本発明によるワイヤレス通信システムモデル３００の図である。全部でＮ＋１個のセルＣ０〜ＣＮがあり、セルＣｉ内のＷＴＲＵ  ｍｉ１〜ｍｉＮの数はＮｉ＋１である。セルＣｉによってサービスされるＷＴＲＵ  ｍｉ１〜ｍｉＮを｛ｍｉｊ｝で表す。以下に記載する分析はＵＬおよびＤＬの両方に当てはまる。
【００７１】
Ｉｉｊは、ＷＴＲＵ  ｍｉｊ（ＤＬの場合）から、またはＷＴＲＵ  ｍｉｊにサービスするノードＢ（ＵＬの場合）から見た干渉レベルである。ＷＴＲＵ  ｍｉｊにサービスするために必要な送信パワーは次式に等しい。
【００７２】
【数１９】
2007511180.tif 000021
【００７３】
ここで、ＬｉｊはセルＣｉとＷＴＲＵ  ｍｉｊとの間のパス損失であり、ＳＩＲｉｊはＷＴＲＵ  ｍｉｊに適切にサービスするために必要な信号対干渉比である。このパワーが、ＷＴＲＵ  ｍｉｊによって（ＵＬの場合）、またはそれにサービスするノードＢによって（ＤＬの場合）送信される。
【００７４】
式１９は次のように書き直せる。
【００７５】
【数２０】
2007511180.tif 000022
【００７６】
ここでｑｉｊ≡ＳＩＲｉｊＬｉｊは、ＷＴＲＵ  ｍｉｊの「負荷」として定義される。セルＣｉの負荷ｑｉは次のように定義される。
【００７７】
【数２１】
2007511180.tif 000023
【００７８】
干渉レベルＩｉｊは、同一セルのＷＴＲＵによる干渉が無視できるシステムの場合、次のように計算できる。
【００７９】
【数２２】
2007511180.tif 000024
【００８０】
ここで、θは熱雑音レベルであり、Ｌｉ′ｊ′ｉｊは、ＷＴＲＵ  ｍｉｊとセルＣｉ′の間（ＤＬの場合）またはＷＴＲＵ  ｍｉ′ｊ′とセルＣｉの間（ＵＬの場合）のパス損失である。
【００８１】
あるセルと、別のセルに接続されたＷＴＲＵとの間のリンク利得（パス損失の逆数）はＧＣに等しい。
【００８２】
【数２３】
2007511180.tif 000025
【００８３】
これを想定すると、式２２は次のように書き直せる。
【００８４】
【数２４】
2007511180.tif 000026
【００８５】
右側の項はｊに依存しない。したがって、Ｉｉ≡Ｉｉｊ（∀ｊ）であり、式２３は次のように書き直せる。
【００８６】
【数２５】
2007511180.tif 000027
【００８７】
この方程式系（任意のセルＣｉに対して成り立つ）から、任意のセル（例えばセルＣ０）の干渉を、すべてのセルの負荷ｑｉおよび定数ＧＣの関数として表すことができる。これを達成するには、まず、次のように、特にｉ＝０に対する式２４を考慮する。
【００８８】
【数２６】
2007511180.tif 000028
【００８９】
次に、これをｉに関する一般式と組み合わせると、次の方程式が得られる。
【００９０】
【数２７】
2007511180.tif 000029
【００９１】
あるいは
【００９２】
【数２８】
2007511180.tif 000030
【００９３】
コードを割り当てようとしている目標セルをＣ０で表し、近隣セルをＣｉで表す。すると、Ｃ０の負荷ｑ０は、コードの割当て後に変化する。
【００９４】
コードの割当て前のＣ０の初期負荷をｑ０ｉｎで表す。コードの割当て後のＣ０の最終負荷をｑ０ｆで表す。すると次のようになる。
【００９５】
【数２９】
2007511180.tif 000031
【００９６】
式２８は、Ｃ０へのコードの割当ての前後いずれでも満たされなければならない。すなわち次式が成り立つ。
【００９７】
【数３０】
2007511180.tif 000032
【００９８】
および
【００９９】
【数３１】
2007511180.tif 000033
【０１００】
ここで、Ｉ０ｉｎおよびＩ０ｆはそれぞれ、目標セルＣ０での初期干渉および最終干渉を表し、ＩｉｉｎおよびＩｉｆはそれぞれ、近隣セルＣｉでの初期干渉および最終干渉を表す。
【０１０１】
すると、近隣セルＣｉでの雑音上昇は次式で与えられる。
【０１０２】
【数３２】
2007511180.tif 000034
【０１０３】
式（３２）は次のように書き直せる。
【０１０４】
【数３３】
2007511180.tif 000035
【０１０５】
Ｃ０の初期負荷が未知の場合、ｑ０ｉｎをゼロと置くことにより、式３３は次のように簡単にすることができる。
【０１０６】
【数３４】
2007511180.tif 000036
【０１０７】
ＲＴは式２により計算される雑音上昇に対応する。
【０１０８】
図４は、本発明によりＣＡＣを実施するために用いられる装置４００のブロック図である。装置４００は、コアネットワーク４２０およびＷＴＲＵ４３０と通信し、ＲＮＣもしくはノードＢ、またはＣＡＣおよび無線リソース割当てを担当する任意の他のネットワークエンティティに設置され得る。
【０１０９】
装置４００は、受信機４０２、コードセレクタ４０４、第１計算ユニット４０６、コンパレータ４０８、第２計算ユニット４１０、およびコントローラ４１２を含む。ＷＴＲＵ４３０またはコアネットワーク４２０から発呼要求が受信されると、コントローラ４１２は、本発明によるＣＡＣプロセスを開始する。コードセレクタ４０４は、コントローラ４１２に応答して、利用可能なコードのうちからある１つのコードを選択する。選択されたコードは、ＵＬ干渉に基づく推定目標セル負荷および近隣セル負荷の計算を通じて、またはＤＬ干渉に基づく推定目標セル送信パワーおよび近隣セル送信パワーの計算を通じて、それぞれの利用可能なタイムスロットへの潜在的割当てのために評価される。
【０１１０】
ＣＡＣプロセスがＵＬ干渉に基づく場合には、第１計算ユニット４０６は、ノードＢ測定を用い、選択されたコードの追加を想定して、それぞれの利用可能タイムスロットに対する目標セル負荷および近隣セル負荷を計算する。コンパレータ４０８は、目標セル負荷および近隣セル負荷をそれぞれ所定閾値と比較する。目標セル負荷および近隣セル負荷が両方ともそれぞれ閾値よりも小さい場合、コードは潜在的割当てのためのタイムスロットに追加される。第２計算ユニット４１０は、タイムスロットに対する重み付きシステム負荷を計算する。コントローラ４１２は、プロセス全体を制御し、候補タイムスロットのうちから重み付きシステム負荷が最小のタイムスロットを選択して、それを発呼要求のために割り当てる。
【０１１１】
ＣＡＣプロセスがＤＬ干渉に基づく場合には、第１計算ユニット４０６は、ノードＢ測定を用い、選択されたコードの追加を想定して、それぞれの利用可能タイムスロットに対する目標セル送信パワーおよび近隣セル送信パワーを計算する。コンパレータ４０８は、目標セル送信パワーおよび近隣セル送信パワーをそれぞれ所定閾値と比較する。目標セル送信パワーおよび近隣セル送信パワーが両方ともそれぞれ閾値よりも小さい場合には、コードは潜在的割当てのためのタイムスロットに追加される。第２計算ユニット４１０は、タイムスロットに対する重み付き干渉を計算する。コントローラ４１２は、候補タイムスロットのうちから重み付き干渉が最小のタイムスロットを選択して発呼要求のために割り当てる。なお、装置４００の構成要素によって実行される機能は、必要に応じて、より多数の、またはより少数の構成要素によって実行されてもよい。
【０１１２】
以上、本発明の構成および要素は、好ましい実施形態において特定の組合せとして記載されているが、それぞれの構成あるいは要素は、好ましい実施形態の他の構成および要素なしに単独で、また、本発明の他の構成および要素の有無にかかわらず、種々の組合せで使用可能である。
【図面の簡単な説明】
【０１１３】
【図１】本発明によりＵＬ測定に基づいてＣＡＣを実施する方法ステップを含むプロセスの流れ図である。
【図２】本発明によりＤＬ測定に基づいてＣＡＣを実施する方法ステップを含むプロセスの流れ図である。
【図３】本発明によるワイヤレス通信システムモデルを示す図である。
【図４】図３のシステムでＣＡＣを実施するために用いられる装置のブロック図である。
【図１】
2007511180.tif 000037
【図２】
2007511180.tif 000038
【図３】
2007511180.tif 000039
【図４】
2007511180.tif 000040
【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
少なくとも１つのノードＢおよび少なくとも１つのワイヤレス送受信ユニット（ＷＴＲＵ）を含むワイヤレス通信システムにおける、ノードＢでコールアドミッション制御プロセスを実施する方法において、
（ａ）発呼要求を受信し、
（ｂ）コードセットから特定のコードを選択し、
（ｃ）複数の利用可能なタイムスロットから特定のタイムスロットを選択し、
（ｄ）ノードＢ測定を使用し、かつ前記選択されたタイムスロットへの前記選択されたコードの追加を想定して、前記選択されたタイムスロットに対する目標セル負荷および近隣セル負荷を計算し、
（ｅ）前記選択されたタイムスロットに対する重み付きシステム負荷を計算し、
（ｆ）他のすべての利用可能なタイムスロットについてステップ（ｃ）〜（ｅ）を繰り返し、
（ｇ）重み付きシステム負荷が最小であるタイムスロットをコードの割当てのために選択し、
（ｈ）前記コードセットから前記コードを削除する
ことを特徴とするコールアドミッション制御プロセスを実施する方法。
【請求項２】
前記目標セル負荷および前記近隣セル負荷がそれぞれ所定閾値よりも小さい場合に限り、前記重み付きシステム負荷が計算されることを特徴とする請求項１に記載の方法。
【請求項３】
前記目標セル負荷が、前記目標セルの予測干渉信号コードパワー（ＩＳＣＰ）を用いて計算されることを特徴とする請求項１に記載の方法。
【請求項４】
前記近隣セル負荷が、前記近隣セルによって測定されるＩＳＣＰを用いて計算されることを特徴とする請求項１に記載の方法。
【請求項５】
前記近隣セル負荷が、前記目標セルの雑音上昇関数を用いて推定されることを特徴とする請求項１に記載の方法。
【請求項６】
少なくとも１つのノードＢおよび少なくとも１つのワイヤレス送受信ユニット（ＷＴＲＵ）を含むワイヤレス通信システムにおける、ノードＢでコールアドミッション制御プロセスを実施する方法において、
（ａ）発呼要求を受信し、
（ｂ）コードセットから特定のコードを選択し、
（ｃ）複数の利用可能なタイムスロットから特定のタイムスロットを選択し、
（ｄ）ノードＢ測定を使用し、かつ前記選択されたタイムスロットへの前記選択されたコードの追加を想定して、前記選択されたタイムスロットに対する予測目標セル送信パワーおよび予測近隣セル送信パワーを計算し、
（ｅ）前記タイムスロットに対する重み付き干渉を計算し、
（ｆ）他のすべての利用可能なタイムスロットについてステップ（ｃ）〜（ｅ）を繰り返し、
（ｇ）重み付き干渉が最小のタイムスロットをコードの割当てのために選択し、
（ｈ）前記コードセットから前記コードを削除する
ことを特徴とするコールアドミッション制御プロセスを実施する方法。
【請求項７】
前記予測目標セル送信パワーおよび前記予測近隣セル送信パワーがそれぞれ所定閾値よりも小さい場合に限り、前記重み付き干渉が計算されることを特徴とする請求項６に記載の方法。
【請求項８】
前記コードは、最小の拡散率を有するコードから開始して選択されることを特徴とする請求項１または６に記載の方法。
【請求項９】
前記予測目標セル送信パワーが、前記目標セルの予測干渉信号コードパワー（ＩＳＣＰ）を用いて計算されることを特徴とする請求項６に記載の方法。
【請求項１０】
前記目標セルでの前記予測ＩＳＣＰが、前記目標セルの雑音上昇関数を用いて計算されることを特徴とする請求項３または９に記載の方法。
【請求項１１】
前記目標セルの雑音上昇関数が、報告されたパス損失測定値を用いて計算されることを特徴とする請求項１０に記載の方法。
【請求項１２】
前記目標セルの雑音上昇関数が、セル全体で測定されるパス損失の分布から決定されるパス損失値パラメータを用いて計算されることを特徴とする請求項１０に記載の方法。
【請求項１３】
前記パス損失値パラメータが、前記分布の５０番目パーセンタイルパス損失と設定されることを特徴とする請求項１２に記載の方法。
【請求項１４】
前記予測近隣セル送信パワーが、前記近隣セルによって測定される送信パワーを用いて計算されることを特徴とする請求項６に記載の方法。
【請求項１５】
前記予測近隣セル送信パワーが、前記目標セルの雑音上昇関数を用いて推定されることを特徴とする請求項６に記載の方法。
【請求項１６】
ワイヤレス通信システムにおけるノードＢの共通の測定に基づくアドミッション制御装置において、前記ワイヤレス通信システムのカバレージエリア（サービスエリア）が複数のセルに分割され、各セルは少なくとも１つのノードＢによってサービスされ、前記装置が、
発呼要求を受信するように構成された受信機と、
利用可能なコードのうちからある一つのコードを選択するように構成されたコードセレクタと、
ノードＢ測定を使用し、かつ前記選択されたコードの追加を想定して、それぞれの利用可能なタイムスロットに対する目標セル負荷および近隣セル負荷を計算するように構成された第１計算ユニットと、
前記利用可能なタイムスロットのそれぞれに対する重み付きシステム負荷を計算する第２計算ユニットと、
前記発呼要求に割り当てるために重み付きシステム負荷が最小であるタイムスロットを選択するコントローラと
を備えたことを特徴とするアドミッション制御装置。
【請求項１７】
それぞれの利用可能なタイムスロットの前記目標セル負荷および前記近隣セル負荷をそれぞれ所定閾値と比較するコンパレータをさらに備え、それにより、前記重み付きシステム負荷が前記閾値を満たす利用可能なタイムスロットに対して計算されることを特徴とする請求項１６に記載の装置。
【請求項１８】
前記目標セル負荷が、前記目標セルの予測干渉信号コードパワー（ＩＳＣＰ）を用いて計算されることを特徴とする請求項１６に記載の装置。
【請求項１９】
前記近隣セル負荷が、前記近隣セルによって測定されるＩＳＣＰを用いて計算されることを特徴とする請求項１６に記載の装置。
【請求項２０】
前記近隣セル負荷が、前記目標セルの雑音上昇関数を用いて推定されることを特徴とする請求項１６に記載の装置。
【請求項２１】
ワイヤレス通信システムにおけるノードＢの共通の測定に基づくアドミッション制御装置において、前記ワイヤレス通信システムのカバレージエリアが複数のセルに分割され、各セルは少なくとも１つのノードＢによってサービスされ、前記装置が、
発呼要求を受信するように構成された受信機と、
利用可能なコードのうちからある１つのコードを選択するように構成されたコードセレクタと、
ノードＢ測定を使用し、かつ前記選択されたコードの追加を想定して、それぞれの利用可能なタイムスロットに対する目標セル送信パワーおよび近隣セル送信パワーを計算する第１計算ユニットと、
前記選択されたタイムスロットのそれぞれに対する重み付きシステム干渉を計算する第２計算ユニットと、
前記発呼要求に割り当てるために前記タイムスロットのうちから重み付き干渉が最小のタイムスロットを選択するコントローラと
を備えたことを特徴とするアドミッション制御装置。
【請求項２２】
それぞれの利用可能なタイムスロットの前記目標セル送信パワーおよび前記近隣セル送信パワーをそれぞれ所定閾値と比較するコンパレータをさらに備え、それにより、前記重み付き干渉が前記閾値を満たす利用可能なタイムスロットに対して計算されることを特徴とする請求項２１に記載の装置。
【請求項２３】
前記コードは、最小の拡散率を有するコードから開始して選択されることを特徴とする請求項１６または２１に記載の装置。
【請求項２４】
前記予測目標セル送信パワーが、前記目標セルの予測干渉信号コードパワー（ＩＳＣＰ）を用いて計算されることを特徴とする請求項２１に記載の装置。
【請求項２５】
前記目標セルでの前記予測ＩＳＣＰが、前記目標セルの雑音上昇関数を用いて計算されることを特徴とする請求項１８または２４に記載の装置。
【請求項２６】
前記目標セルの雑音上昇関数が、報告されたパス損失測定値を用いて計算されることを特徴とする請求項２５に記載の装置。
【請求項２７】
前記目標セルの雑音上昇関数が、セル全体で測定されるパス損失の分布から決定されるパス損失値パラメータを用いて計算されることを特徴とする請求項２５に記載の装置。
【請求項２８】
前記パス損失値パラメータが、前記分布の５０番目パーセンタイルパス損失と設定されることを特徴とする請求項２７に記載の装置。
【請求項２９】
前記予測近隣セル送信パワーが、前記近隣セルによって測定される送信パワーを用いて計算されることを特徴とする請求項２１に記載の装置。
【請求項３０】
前記予測近隣セル送信パワーが、前記目標セルの雑音上昇関数を用いて推定されることを特徴とする請求項２１に記載の装置。
【手続補正２】
【補正対象書類名】明細書
【補正対象項目名】００６８
【補正方法】変更
【補正の内容】
【００６８】
分母１＋γＮ（ｔ）は断片化調整因子であり、γは断片化調整パラメータに対応し、Ｎ（ｔ）はこのタイムスロットに既に割り当てられているコードの個数に対応する。
【国際調査報告】
2007511180.tif 000041
2007511180.tif 000042